(57)【要約】【課題】  版の見当調整の操作性を向上させるとともに見当調整時間の短縮を図る。【解決手段】  万力台１３Ａに植設したピン２１に、第１のリンク部材２３の一端部と、第２のリンク部材２４の一端部とが枢着されている。万力台１３Ａに隣接した万力台１３Ｂに植設したピン２２に、第３のリンク部材２５の一端部と、第４のリンク部材２６の一端部とが枢着されている。第１のリンク部材２３の他端部と、第３のリンク部材２５の他端部とが、第１の移動子２７に一体に突設した小軸３１に枢着されている。第２のリンク部材２４の他端部と、第４のリンク部材２６の他端部とが、第２の移動子２８に一体に突設した小軸３２に枢着されている。第１の移動子２７と第２の移動子２８とは、ボルト２９を時計・反時計方向に回転操作することにより、互いに近接または離間するように移動する。【選択図】  図３
2006159814.tif 000002
【特許請求の範囲】
【請求項１】
版をくわえる版万力を版胴の軸線方向に複数に分割し、各版万力を版胴の軸線方向に移動自在に支持した印刷機の版万力装置において、
一端部が前記版万力に枢着された第１のリンク部材および第２のリンク部材と、一端部が前記版万力と隣接する版万力に枢着された第３のリンク部材および第４のリンク部材と、前記第１のリンク部材および前記第３のリンク部材のそれぞれの他端部を枢着する第１の移動子と、前記第２のリンク部材および前記第４のリンク部材のそれぞれの他端部を枢着する第２の移動子と、これら第１の移動子と第２の移動子とを回動不能に支持しこれら第１の移動子と第２の移動子とのいずれか一方と螺合し回動させることによりこれら第１の移動子と第２の移動子とを互いに近接および離間させるボルトとを備えたことを特徴とする印刷機の版万力装置。
【請求項２】
請求項１記載の印刷機の版万力装置において、
前記第１の移動子を前記ボルトと一体的に移動する挟持部材とボルトの頭部とで挟持したことを特徴とする印刷機の版万力装置。
【請求項３】
請求項１記載の印刷機の版万力装置において、
前記第２の移動子を前記ボルトと一体的に移動する一対の挟持部材で挟持したことを特徴とする印刷機の版万力装置。
【請求項４】
版をくわえる版万力を版胴の軸線方向に複数に分割し、各版万力を版胴の軸線方向に移動自在に支持した印刷機の版万力装置において、
前記版胴に進退自在に螺合したボルトと、このボルトを回動させることにより回動せずにボルトの軸線方向へ移動する移動子と、この移動子と互いに隣接する前記版万力のそれぞれとを連結する第１のリンク部材および第２のリンク部材とを備えたことを特徴とする印刷機の版万力装置。
【請求項５】
請求項４記載の印刷機の版万力装置において、
前記移動子を前記ボルトと一体的に移動する挟持部材とボルトの頭部とで挟持したことを特徴とする印刷機の版万力装置。
【請求項６】
請求項１ないし５のいずれか一項記載の印刷機の版万力装置において、
前記ボルトの操作部は常に前記版胴の版万力が装着される切欠きの開口側を指向していることを特徴とする印刷機の版万力装置。
【請求項７】
互いに遠近方向に移動自在な少なくとも一対の隣接した版万力と、回転操作することにより前記版万力の移動方向と直交する方向に進退するボルトと、このボルトを回動させることにより回動せずにボルトの軸線方向へ移動する移動子と、この移動子と前記版万力の間を連結するリンク部材とを備え、前記ボルトの操作部は常に前記版胴の版万力が装着される切欠きの開口側を指向し、このボルトを回動操作しボルトを進退させることにより前記版万力が接近離間することを特徴とする印刷機の版万力装置。
【発明の詳細な説明】
【技術分野】
【０００１】
本発明は、印刷機の版万力装置に関し、特にファン・アウトの影響を排除するために尻側版万力を胴の軸線方向に移動させることにより見当調整する印刷機の版万力装置に関するものである。
【背景技術】
【０００２】
この種の印刷機においては、圧胴の爪にくわえられた紙が印刷用紙の含有する水分や表面性の不均一により、圧胴の周面上で圧力が加えられると、くわえ尻の幅がくわえ側の幅よりも扇形に拡がる、または縮む現象、いわゆるファン・アウトが発生する。このファン・アウトが発生すると、多色刷りにおいては見当が合いにくくなる。したがって、ファン・アウトによる悪影響を排除するために、例えば、版胴の尻側版万力を版胴の軸線方向に移動調節できる構造とし、尻側版万力にくわえられたくわえ側の版の幅をファン・アウトに対応させて拡げる、または縮めるように調整している。
【０００３】
従来の印刷機の版万力装置は、万力台が胴の軸線方向に３分割され、これら万力台が連結金具によって連結されており、連結金具のピン孔にスパナを挿入して回転操作することにより万力台が版胴の軸線方向へ移動し微調整されるものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２０００−６３７３号公報（段落「００１２」および「００１９」、図１および図２）
【発明の開示】
【発明が解決しようとする課題】
【０００４】
上述した従来の印刷機の版万力装置においては、連結金具の周面に設けた複数のピン孔にスパナを挿入し、スパナが挿入された連結金具を版胴の軸線周りに回転させる構造であるため、連結金具をある角度だけ回動させるとスパナが版胴の切欠きの壁面に当接してしまう。したがって、連結金具を所定数回転させるにはスパナをピン孔から抜き差しして行う必要があるため、連結金具の回転操作を連続して行うことができず、操作が煩雑となって操作性が悪いというばかりか見当調整に時間がかかるという問題があった。また、連結金具の回転をねじ作用により万力台の移動に変換させる構造であるため、連結金具を回転させるためのトルクが、常に一定の力となって万力台を移動させる力に変換される。このため、万力台を移動させる力を最も必要とする版尻を引っ張る方向、または縮める方向への見当調整を行うとき、連結金具を回転させるために大きなトルクを必要とするので操作性が悪いという問題もあった。
【０００５】
本発明は上記した従来の問題に鑑みなされたものであり、その目的とするところは、版の見当調整の操作性を向上させるとともに見当調整時間の短縮を図ることにある。
【課題を解決するための手段】
【０００６】
この目的を達成するために、請求項１に係る発明は、版をくわえる版万力を版胴の軸線方向に複数に分割し、各版万力を版胴の軸線方向に移動自在に支持した印刷機の版万力装置において、一端部が前記版万力に枢着された第１のリンク部材および第２のリンク部材と、一端部が前記版万力と隣接する版万力に枢着された第３のリンク部材および第４のリンク部材と、前記第１のリンク部材および前記第３のリンク部材のそれぞれの他端部を枢着する第１の移動子と、前記第２のリンク部材および前記第４のリンク部材のそれぞれの他端部を枢着する第２の移動子と、これら第１の移動子と第２の移動子とを回動不能に支持しこれら第１の移動子と第２の移動子とのいずれか一方と螺合し回動させることによりこれら第１の移動子と第２の移動子とを互いに近接および離間させるボルトとを備えたものである。
【０００７】
請求項２に係る発明は、請求項１に係る発明において、前記第１の移動子を前記ボルトと一体的に移動する挟持部材とボルトの頭部とで挟持したものである。
【０００８】
請求項３に係る発明は、請求項１に係る発明において、前記第２の移動子を前記ボルトと一体的に移動する挟持部材とボルトの頭部とで挟持したものである。
【０００９】
請求項４に係る発明は、版をくわえる版万力を版胴の軸線方向に複数に分割し、各版万力を版胴の軸線方向に移動自在に支持した印刷機の版万力装置において、前記版胴に進退自在に螺合したボルトと、このボルトを回動させることにより回動せずにボルトの軸線方向へ移動する移動子と、この移動子と互いに隣接する前記版万力のそれぞれとを連結する第１のリンク部材および第２のリンク部材とを備えたものである。
【００１０】
請求項５に係る発明は、請求項４に係る発明において、前記移動子を前記ボルトと一体的に移動する挟持部材とボルトの頭部とで挟持したものである。
【００１１】
請求項６に係る発明は、請求項１ないし５のいずれか一項に係る発明において、前記ボルトの操作部は常に前記版胴の版万力が装着される切欠きの開口側を指向している。
【００１２】
請求項７に係る発明は、互いに遠近方向に移動自在な少なくとも一対の隣接した版万力と、回転操作することにより前記版万力の移動方向と直交する方向に進退するボルトと、このボルトを回動させることにより回動せずにボルトの軸線方向へ移動する移動子と、この移動子と前記版万力の間を連結するリンク部材とを備え、前記ボルトの操作部は常に前記版胴の版万力が装着される切欠きの開口側を指向し、このボルトを回動操作しボルトを進退させることにより前記版万力が接近離間する。
【発明の効果】
【００１３】
請求項１および４に係る発明によれば、最も力が必要とする版尻を引っ張る方向へ見当調整を行うときに、ボルトを回転させる同じ回転トルクによって大きな力を加えることができるため操作性が向上する。
【００１４】
請求項２および３に係る発明によれば、１本のボルトによって第１および第２の移動子を移動させることができるため、部品点数を最小限とすることができる
【００１５】
請求項５に係る発明によれば、移動子を挟持する一方の部材をボルトの頭部としたことにより、部品点数を削減することができる。
【００１６】
請求項６および７に係る発明によれば、ボルトを連続的に回転操作することができるため、操作が単純となり見当調整時間の短縮を図ることができる。
【発明を実施するための最良の形態】
【００１７】
以下、本発明の実施の形態を図に基づいて説明する。図１は本発明に係る印刷機の版万力装置の版胴の平面図、図２は図１におけるII-II 線断面図、図３は図２におけるIII 線矢視図、図４は図３におけるIV線矢視図、図５は版の版尻を縮ませる方向へ見当調整をした状態を示し、同図（Ａ）は図２におけるIII線 矢視図、同図（Ｂ）は加えた力と作用する力の関係を説明するための図、図６は版の版尻を引っ張る方向へ見当調整をした状態を示し、同図（Ａ）は図２におけるIII線 矢視図、同図（Ｂ）は加えた力と作用する力の関係を説明するための図である。
【００１８】
図１において、全体を符号１で示す版胴の外周部には、断面が略長方形状を呈し底面２ａを山形状に形成された切欠き２が、胴の略全長にわたって設けられており、この切欠き２の両端開口は、円板状に形成されたベアラ３，４で閉塞されている。５は版胴１の軸線方向の全体にわたって設けられたくわえ側版万力であって、断面が略正方形状に形成され版胴１の軸線方向に延在する万力台６と、後述する三つに分割されたくわえ板９とによって構成されている。この万力台６は、図示しない調節装置により切欠き２の底面に沿って版胴１の円周方向へ移動調節できるように構成されている。
【００１９】
７は左右のベアラ３，４と万力台６との間に介装された調節ねじであって、ベアラ３，４と万力台６とのねじ孔に両端のねじ部を螺合されており、この調整ねじ７の周面の孔にスパナを挿入して回転操作することにより、万力台６の位置が版胴１の軸線方向へ微調節できるように構成されている。万力台６の両端部と中央部２箇所とには、支持ブロック８がボルトによって固定されている。９は全長が万力台６と略同長に形成されたくわえ板であって、版胴１の軸線方向に三つに分割されて平面視矩形状に形成されており、各くわえ板９は、支持ブロック８に設けられた水平方向に突出するピン８ａによって揺動自在に支持されている。各くわえ板９は、カム軸を駆動装置によって回動することにより、カム軸のカム部（図示を省略）との作用で、各くわえ板９が揺動して万力台６のくわえ面６ａに対してくわえ板９のくわえ面９ａが開閉するように構成されている。
【００２０】
１０はくわえ側版万力５と平行に切欠き２内に設けられた尻側版万力であって、この尻側版万力１０は、胴長と略同じ長さに形成され垂直面を切欠き２の底面２ａと直交させたばね受けバー１１を備えており、このばね受けバー１１は、図４に示すようにボルト１２によって切欠き２の底面２ａに固定されている。また、ばね受けバー１１と切欠き壁面２ｂとの間には、図１に示すように胴の軸線方向に３分割された万力台１３Ａ，１３Ｂ，１３Ｃが後述する見当調整装置２０によって連結されて配設されている。前記ばね受けバー１１と万力台１３Ａ，１３Ｂ，１３Ｃとの間には、断面をくの字状に形成され版胴１の軸線方向に延びる３個のくわえ板１５Ａ，１５Ｂ，１５Ｃが配設されている。これらくわえ板１５Ａ，１５Ｂ，１５Ｃは、支持軸（図示せず）を揺動支点として万力台１３Ａ，１３Ｂ，１３Ｃとそれぞれ連結されており、これら万力台１３Ａ，１３Ｂ，１３Ｃとくわえ板１５Ａ，１５Ｂ，１５Ｃとによって尻側版万力１０を構成している。
【００２１】
図４に示すように、切欠き２の壁面２ｂにボルト１６で固定されたブロック１７と壁面２ｂとで形成された凹部内には、円弧部と直線部とで形成されたカム部１８ａを有するカム軸１８が左右のベアラ３，４に回動自在に軸支されて係合されている。このカム軸１８を図示を省略した駆動装置によって回動させることにより、万力台１３Ａ，１３Ｂ，１３Ｃのくわえ面１３ａとくわえ板１５Ａ，１５Ｂ，１５Ｃのくわえ面１５ａとが開閉するように構成されている。また、万力台１３Ａ，１３Ｂ，１３Ｃとくわえ板１５Ａ，１５Ｂ，１５Ｃとは切欠き２の円周方向へわずかに移動調整できるように構成されている。
【００２２】
次に、図２ないし図４を用いて本発明の特徴である見当調整装置２０について説明する。見当調整装置２０は、一端部が万力台１３Ａの同じ部位に枢着された第１のリンク部材２３および第２のリンク部材２４と、一端部が万力台１３Ａと隣接する万力台１３Ｂの同じ部位に枢着された第３のリンク部材２５および第４のリンク部材２６と、第１のリンク部材２３および第３のリンク部材２５のそれぞれの他端部を枢着する第１の移動子２７と、第２のリンク部材２４および第４のリンク部材２６のそれぞれの他端部を枢着する第２の移動子２８と、これら第１の移動子２７と第２の移動子２８とを互いに近接および離間させる六角穴付きボルト（以下、単にボルトという）２９とを備えている。
【００２３】
ピン２１，２２の先端には、図４に示すように第１および第４のリンク部材２３，２６のそれぞれに対接する鍔２１ａ，２２ａが形成されており、第２のリンク部材２４と万力台１３Ａとの間および第３のリンク部材２５と万力台１３Ｂとの間にワッシャ３０が介装されている。図２および図３において、３１は第１の移動子２７に一体に突設された小軸であって、この小軸３１に第１のリンク部材２３および第３のリンク部材２５の他端部が枢着されている。３２は第２の移動子２８に一体に突設された小軸であって、この小軸３２に第２のリンク部材２４および第４のリンク部材２６の他端部が枢着されている。これら４つの第１ないし第４のリンク部材２３〜２６はいずれも同じ形状を呈しており、後述するようにピン３１が矢印Ａ方向に移動するとともにピン３２が矢印Ｂ方向に移動すると、ピン２１が矢印Ｃ方向に移動するとともにピン２２が矢印Ｄ方向に移動する四つ手リンク機構３３を形成している。
【００２４】
ボルト２９は頭部２９ａとねじ部２９ｂとからなり、ねじ部２９ｂの頭部２９ａ側は第１の移動子２７が遊挿されており、この第１の移動子２７はねじ部２９ｂに軸着された止め部材３５と頭部２９ａとによって挟持されている。上記した第２の移動子２８にはボルト２９が進退自在に螺合しており、ボルト２９は版胴１の略半径方向に延在するように設けられ、頭部２９ａは常に切欠き２の開口２ｃを指向している。したがって、版胴１の外側から切欠き２内に挿入したＴ型ハンドル（図示せず）の先端部をボルト２９の頭部２９ａの六角穴に係入させ、ボルト２９を時計方向に回転させると、ボルト２９は矢印Ａ方向へ移動し、第１の移動子２７がボルト２９と一体的に矢印Ａ方向へ移動するとともに、第２の移動子２８は矢印Ｂ方向へ移動する。また、Ｔ型ハンドルでボルト２９を回動操作している間、頭部２９ａは常に切欠き２の開口２ｃを指向しているため、Ｔ型ハンドルによる操作を連続して行えるように構成されている。
【００２５】
図２において、３７は第１の移動子２７のボルト２９を挟んで小軸３１と反対側の部位に、小軸３１の突設方向と反対方向に一体に突設された小軸であって、この小軸３７には、第５のリンク部材３９および第６のリンク部材４０の一端部が枢着されている。３８は第２の移動子２８のボルト２９を挟んで小軸３２と反対側の部位に、小軸３２の突設方向と反対方向に一体に突設した小軸であって、この小軸３８には、第７のリンク部材４１および第８のリンク部材４２の一端部が枢着されている。第６のリンク部材４０および第７のリンク部材４１のそれぞれの他端部はピン４３を介して枢着されており、第５のリンク部材３９および第８のリンク部材４２のそれぞれの他端部はピン（図示せず）を介して枢着されている。これら４つの第５ないし第８のリンク部材３９〜４２は、上述した第１ないし第４のリンク部材２３〜２６と同じ形状を呈しており、これら４つの第５ないし第８のリンク部材３９〜４２によって、四つ手リンク機構４４が構成されている。
【００２６】
次に、図３および図５ならびに図６を用いて、このように構成された印刷機の版万力装置において、版の見当調整の方法について説明する。図３に示す中立の状態から版の版尻を幅方向に引っ張る場合は、上述したように図示を省略したＴ型ハンドルによってボルト２９を時計方向に回転させることにより、図６に示すように第１の移動子２７がボルト２９と一体的に矢印Ａ方向へ移動させるとともに、第２の移動子２８が矢印Ｂ方向へ移動させる。したがって、四つ手リンク機構３３によって、ピン２１が矢印Ｃ方向に移動するとともにピン２２が矢印Ｄ方向に移動するので、互いに隣接する万力台１３Ａ，１３Ｂ間の間隔がＷ１からＷ２となるように離間し、これら万力台１３Ａ，１３Ｂとくわえ板１５Ａ，１５Ｂとにくわえられた版の版尻が矢印Ｃ−Ｄ方向に引っ張られる見当調整が行われる。
【００２７】
この見当調整においては、Ｔ型ハンドルによって連続的にボルト２９を回転操作することができるため、従来のようにスパナをピン孔から抜き差しする必要がないので、操作が煩雑になることがなく操作性が向上するとともに、見当調整にかかる時間を短縮することができる。また、この引張りによる見当調整時においては、図５（Ｂ）および図６（Ｂ）に示すように、第１のリンク部材２３と第２のリンク部材２４とのなす角度αが、後述する版尻を縮める見当調整時の角度βよりも小さく鋭角となる。このため、ボルト２９を回転させるトルクによって第１および第２の移動子２７，２８を移動させる力Ｆが、四つ手リンク機構３３によって、力Ｆより大きな力となって版を幅方向に引っ張る力Ｆ１に変換される。したがって、万力台１３Ａ，１３Ｂを移動させる力を最も必要とする版尻を引っ張る方向への見当調整時に、ボルト２９を回転させるために大きなトルクを必要としないため操作性を向上させることができる。
【００２８】
一方、版の版尻の幅方向を縮める方向に見当調整する場合は、Ｔ型ハンドルによってボルト２９を反時計方向に回転させることにより、図５に示すように第１の移動子２７がボルト２９と一体的に矢印Ｂ方向へ移動させるとともに、第２の移動子２８が矢印Ａ方向へ移動させる。したがって、四つ手リンク機構３３によって、ピン２１が矢印Ｄ方向に移動するとともにピン２２が矢印Ｃ方向へ移動するので、互いに隣接する万力台１３Ａ，１３Ｂ間の間隔が狭まり、これら万力台１３Ａ，１３Ｂとくわえ板１５Ａ，１５Ｂとにくわえられた版の版尻が矢印Ｃ−Ｄ方向に縮む方向に見当調整が行われる。
【００２９】
これら見当調整においては、ボルト２９を回転操作することにより直接万力台１３Ａ，１３Ｂを移動させる四つ手リンク機構３３の他に、この四つ手リンク機構３３とボルト２９を挟んで反対側に第１および第２の移動子３１，３２を補助的に移動させる他の四つ手リンク機構４４を設けている。このため、この補助的な四つ手リンク機構４４によって、万力台１３Ａ，１３Ｂを直接移動させる四つ手リンク機構３３の動作を円滑に行うことができる。
【００３０】
図７は本発明の第２の実施の形態を示す要部の断面図である。この第２の実施の形態においては、ボルト２９のねじ部２９ｂの先端側に第２の移動子５１が遊挿され、この第２の移動子５１はボルト２９のねじ部２９ｂに軸着された一対の止め部材５２，５３に挟持されている。ボルト２９は第１の移動子５０に進退自在に螺合しており、同図に示す状態からボルト２９を反時計方向に回転操作することにより、ボルト２９は矢印Ｂ方向へ移動するとともに、第１の移動子５０は矢印Ａ方向へ移動する。したがって、第２の移動子５１は一対の止め部材５２，５３に挟持されてボルト２９と一体的に矢印Ｂ方向へ移動するため、この第２の移動子５１は、第１の移動子５０と互いに近接するように移動する。
【００３１】
このため、互いに隣接する万力台１３Ａ，１３Ｂが互いに離間する方向へ移動するので、版の版尻は引っ張られる方向に見当調整が行われる。一方、ボルト２９を時計方向に回転操作することにより、ボルト２９は矢印Ａ方向へ移動するとともに、第１の移動子５０は矢印Ｂ方向へ移動する。したがって、第２の移動子５１はボルト２９と一体的に矢印Ａ方向へ移動するため、この第２の移動子５１と第１の移動子５０と互いに離間するように移動する。このため、互いに隣接する万力台１３Ａ，１３Ｂが互いに近接する方向へ移動するので、版の版尻は縮む方向に見当調整が行われる。
【００３２】
なお、これら第１の実施の形態において、ボルト２９の第１の移動子２７が遊挿された部位をねじを形成しない非ねじ部としてもよく、また、第２の実施の形態において、ボルト２９の第２の移動子５１が遊挿された部位をねじを形成しない非ねじ部としてもよい。また、第１および第２の移動子を互いに近接、離間させるために、ボルト２９の中央部を挟んで上下を互いに逆ねじとなるように形成し、これら両ねじ部のそれぞれに第１および第２の移動子を螺合させるようにしてもよい。
【００３３】
図８は本発明の第３の実施の形態を示す図２におけるIII 線矢視図である。この第３の実施の形態が、上述した第１および第２の実施の形態と異なる点は、第１のリンク部材２３および第２のリンク部材２４のそれぞれの他端が万力台１３Ａに異なるピン２３ａ，２４ａにより異なった部位において枢着され、第３のリンク部材２５および第４のリンク部材２６のそれぞれの他端が万力台１３Ｂに異なるピン２５ａ，２６ａにより異なった部位において枢着されている点である。このように構成されていることにより、上述した第１および第２の実施の形態と同様に、ボルト２９を進退させると万力台１３Ａと万力台３Ｂとが互いに近接または離間する。
【００３４】
図９は本発明の第４の実施の形態を示すモデル図である。同図において、６０は版胴１に進退自在に螺合したボルトであって、ねじ部６０ｂの頭部６０ａ側の部位に移動子６１が遊挿され、この移動子６１は頭部６０ａとねじ部６０ｂに軸着された止め部材６２とによって挟持されている。移動子６１と互いに隣接する万力台１３Ａ，１３Ｂのそれぞれとは、リンク部材６３，６４によって連結されており、ボルト６０はこれら万力台１３Ａ、１３Ｂの移動方向（矢印Ｃ−Ｄ方向）と略直交する方向（矢印Ａ−Ｂ方向）に進退するように構成されている。ここでのリンク部材６３，６４が、請求項４に記載した第１のリンク部材および第２のリンク部材に該当する。
【００３５】
このように構成することにより、ボルト６０を時計方向に回転操作し矢印Ａ方向へ移動させると、リンク部材６３，６４を介して万力台１３Ａ，１３Ｂが互いに離間するように移動し、版の版尻が引っ張られる方向に見当調整が行われる。一方、ボルト６０を反時計方向に回転操作し矢印Ｂ方向へ移動させると、リンク部材６３，６４を介して万力台１３Ａ，１３Ｂが互いに近接するように移動し、版の版尻が縮む方向に見当調整が行われる。
【００３６】
図１０は本発明の第５の実施の形態を示すモデル図である。この第４の実施の形態が上述した第３の実施の形態と異なる点は、ボルト６０が別のボルト６５に進退自在に螺合し、このボルト６５が版胴１に進退自在に螺合しており、ボルト６５のピッチがボルト６０のピッチよりも狭く形成されている点にある。このように構成されていることにより、ボルト６０に螺合しボルト６０の回転を規制しているダブルナット６６の締結を緩め、ボルト６０を時計・反時計方向に回転操作することにより、上述した第３の実施の形態と同様にボルト６０が矢印Ａ−Ｂ方向に移動し、万力台１３Ａと万力台１３Ｂとが離間または近接する。
【００３７】
万力台１３Ａと万力台１３Ｂとの間の間隔を微調整する場合は、ダブルナット６６によってボルト６０をボルト６５に締結し、ボルト６５をボルト６０に一体化した後に、ボルト６０を時計・反時計方向に回転操作する。このとき、ボルト６５のピッチがボルト６０のピッチよりも狭く形成されているため、ボルト６０の矢印Ａ−Ｂ方向への移動量が少なくなるから、万力台１３Ａと万力台１３Ｂとの間の間隔が微調整される。
【図面の簡単な説明】
【００３８】
【図１】本発明に係る印刷機の版万力装置の版胴の平面図である。
【図２】図１におけるII-II 線断面図である。
【図３】図２におけるIII 線矢視図である。
【図４】図３におけるIV線矢視図である。
【図５】本発明に係る印刷機の版万力装置において、版の版尻を縮ませる方向へ見当調整をした状態を示し、同図（Ａ）は図２におけるIII線 矢視図、同図（Ｂ）は加えた力と作用する力の関係を説明するための図である。
【図６】本発明に係る印刷機の版万力装置において、版の版尻を引っ張る方向へ見当調整をした状態を示し、同図（Ａ）は図２におけるIII線 矢視図、同図（Ｂ）は加えた力と作用する力の関係を説明するための図である。
【図７】本発明の第２の実施の形態を示す要部の断面図である。
【図８】本発明の第３の実施の形態を示す図２におけるIII 線矢視図である。
【図９】本発明の第４の実施の形態を示すモデル図である。
【図１０】本発明の第５の実施の形態を示すモデル図である。
【符号の説明】
【００３９】
１…版胴、２…切欠き、１０…尻側版万力、１３Ａないし１３Ｃ…万力台、１５Ａないし１５Ｃ…くわえ板、２０…見当調整装置、２３…第１のリンク部材、２４…第２のリンク部材、２５…第３のリンク部材、２６…第４のリンク部材、２７，５０…第１の移動子、２８，５１…第２の移動子、２９…六角穴付きボルト、２９ａ…頭部、２９ｂ…非ねじ部、３３，４４…四つ手リンク機構、６０…六角穴付きボルト、６０ａ…頭部、６０ｂ…非ねじ部、６１…移動子、６３，６４…リンク部材、６５…ボルト。
【図１】
2006159814.tif 000003
【図２】
2006159814.tif 000004
【図３】
2006159814.tif 000005
【図４】
2006159814.tif 000006
【図５】
2006159814.tif 000007
【図６】
2006159814.tif 000008
【図７】
2006159814.tif 000009
【図８】
2006159814.tif 000010
【図９】
2006159814.tif 000011
【図１０】
2006159814.tif 000012